(57)【特許請求の範囲】
【請求項１】
金属層を蒸着された支持材料上に成膜された少なくとも一つの有機発光ダイオード（ＯＬＥＤ）を備えた照明手段であって、この金属層がＯＬＥＤに電気を供給する役割を果たし、そのために接続配線と接続されている照明手段において、
複数の極性が金属層に形成され、複数の接続端子が、金属層と材料結合形態で接続されており、同種の極性の端子が絶縁材製筐体内で互いに電気的に接続されており、
これらの接続端子が、絶縁材製筐体と直に固定されており、
これらの接続端子（１６）を絶縁材製筐体（２１）と直に固定した形態が、この絶縁材製筐体内に照明手段を保持する役割を果たし、
この絶縁材製筐体と固定された接続接点（１６）が、接続配線を直に接続する役割を果たす、
ことを特徴とする照明手段。
【請求項２】
電気接続を用いて別の照明手段に電気を供給するために、絶縁材製筐体と固定された少なくとも一つの接続接点にアクセス可能であることを特徴とする請求項１に記載の照明手段。
【請求項３】
絶縁材製筐体が、ＯＬＥＤの動作時に発生する熱を放出する冷却部材を支持していることを特徴とする請求項１又は２に記載の照明手段。
【請求項４】
端子と金属層の間の材料結合が、超音波鑞付け、溶接又は接着を用いて行われることを特徴とする請求項１から３までのいずれか一つに記載の照明手段。
【請求項５】
照明手段が絶縁材製筐体に差し込まれて、絶縁材製筐体が、ほぼ形状結合形態で嵌め合わされる取付部品に収容可能なソケットを構成することを特徴とする請求項１から４までのいずれか一つに記載の照明手段。
【請求項６】
照明手段が、専ら一方の側での端子と支持材料の間の接続と、他方の側での絶縁材製筐体と端子の固定とによって、絶縁材製筐体に保持されていることを特徴とする請求項１から５までのいずれか一つに記載の照明手段。
【請求項７】
絶縁材製筐体が照明手段の層平面を覆い隠しておらず、特に、層平面の面で終止していることを特徴とする請求項５又は６に記載の照明手段。
【請求項８】
接続端子（１６）には、絶縁材製筐体の保持ピン（２２）を差し込んで形状結合させるための保持開口部（２０）が形成されていることを特徴とする請求項１から７までのいずれか一つに記載の照明手段。
【発明の詳細な説明】
【技術分野】
【０００１】
本発明は、金属層を蒸着された支持材料上に成膜された少なくとも一つの有機発光ダイオード（ＯＬＥＤ）を備えた照明手段に関し、その金属層は、ＯＬＥＤに電気を供給する役割を果たし、そのために接続配線と接続されている。
【背景技術】
【０００２】
従来の照明手段の代わりに無機ＬＥＤが使用されている外に、有機半導体技術に基づくＬＥＤも益々使用されて来ている。有機発光ダイオード（ＯＬＥＤ）を備えた照明手段は、少なくとも一つの板状の支持材料、特に、ガラスを有し、その上に有機半導体部品が設置されている。支持材料上に蒸着された金属層が、電圧及び電流を供給する役割を担っている。支持材料は、裏側にカバー（少なくとも一つの別のガラス板）を備えている。有機半導体部品は、支持材料とカバーの間に収納されている。しかし、このカバーは、金属層にアクセスために周縁領域を取り除かれており、そのため、異なる形態でそこに電気的に接続することができる。
【０００３】
そのように、電気を供給できるようにするために、例えば、特殊な導電性の接着剤を用いて、金属層に電気導体を固定することが周知である。導電性のエラストマーを用いて、接続を行う手法も存在する。最後に、柔軟な回路基板を支持材料の金属層に固定する方法が存在する。
【０００４】
有機ＬＥＤを備えた照明手段を電気的に接続する前記の手法は、特別な欠点を有する。即ち、接着接合部が剪断応力に対して弱いと言われており、そのため、そのように電気接続された照明手段は、通常別個の接続端子を備えた筐体内に配置されている。
【０００５】
導電性エラストマーを使用している場合、そのエラストマーの圧縮を引き起こす必要が有り、そのため、その場合でも照明手段を取付台に対して押圧しなければならない。更に、エラストマーと照明手段との接点抵抗は比較的大きい。
【０００６】
有機ＬＥＤを電気的に接続するために柔軟な回路基板を使用することは、その電気回路基板の弱さのために、所定の用途においてのみ有効である。
【０００７】
前記の従来技術は、例えば、ＯＬＥＤを接続する製造要領に記載されている。
【０００８】
ＯＬＥＤを備えた照明手段を保持する手法は、例えば、特許文献１に図示されるとともに、特許文献２により周知である。
【０００９】
要約すると、従来技術では、ＯＬＥＤを備えた照明手段の電気接続形態及びその保持形態を改善する差し迫った必要が有る。
【先行技術文献】
【特許文献】
【００１０】
【特許文献１】ドイツ実用新案第２０２００６０１２９３７号明細書
【特許文献２】国際特許公開第２００８／０７４４３１号明細書
【発明の概要】
【発明が解決しようとする課題】
【００１１】
本発明の課題は、ＯＬＥＤをベースとする照明手段の有利な電気接続形態及び保持形態を提供することである。
【課題を解決するための手段】
【００１２】
本課題は、請求項１の特徴を有する照明手段によって解決され、その照明手段は、少なくとも一つの接続端子が、一方の側を少なくとも金属層と材料結合形態で接続され、他方の側を絶縁材製筐体と直に固定されていることを特徴とする。
【００１３】
本発明の主要な利点は、接続端子が照明手段に電気を供給する役割だけでなく、別の部品で照明手段を保持する役割も果たすことである。この場合、端子は、絶縁材と直に固定され、その絶縁材自体は、例えば、照明器の一つの部品とすることができるが、有利には、照明手段の一種のソケットとしての役割を果たす。そこで、これまで互いに別個に考えていた解決すべき課題である照明手段の電気接続形態と保持形態が、一つの部品に統合されたことになる。
【００１４】
支持材料の金属層と接続端子の間の材料結合形態を実現するために、特に、超音波鑞付けを規定する。しかし、溶接又は接着も同じく可能である。
【００１５】
通常、ＯＬＥＤ照明手段は、ＯＬＥＤを備えた支持面を介した均一な電圧及び電流供給を保証するために、極性毎に複数の接続端子を備えている。通常、極性毎に複数の端子が配備されている。一つの有利な実施構成において、絶縁材製筐体が照明手段に差し込まれて、そのため、従来技術の意味における照明手段用のソケットを構成する場合、別の有利な実施構成において、絶縁材製筐体内で同種の極性を互いに電気的に接続することができる。その主要な利点は、接続端子の中の二つだけが外部と電気接続する役割を果たし、それ以外の所要の配線負担が大幅に低減されることである。
【００１６】
金属層と接続された端子を間接的に、さもなければ特に直接的に外部からアクセスできるように絶縁材製筐体内に収容することが考えられ、有利である。即ち、別の照明手段に供給する電気を接続端子から取り出すことができる。
【００１７】
絶縁材料内に照明手段を機械的に保持する部材としての接続端子の機能によって、照明手段の層平面の表面で終止するとともに、照明手段を覆い隠さない、照明手段用の絶縁材製筐体又はソケットを実現することが可能となる。即ち、複数の同種の照明手段の互いに接した配列によって、一体的な平面照明器を製作することが可能である。
【００１８】
以下の実施例の記述から、本発明の更に別の利点が理解される。
【図面の簡単な説明】
【００１９】
【図１】本発明による照明手段の分解図
【図２】図１の照明手段を組み立てた状態の垂直断面図
【図３】図２の照明手段の接続端子に関する部分図
【発明を実施するための形態】
【００２０】
図面では、本発明による照明手段全体には符号１０が付与されている。照明手段１０は、先ずはガラスから成る支持板１１を備え、その支持板の観察者から見える層平面１２は、光を放出する面１３を構成し、図１では上方を向いている。
【００２１】
支持板１１の下側には、先ずは、ここでは詳しく図示されていない金属層が蒸着されており、支持板１１の周縁領域を取り除かれて、電気端子を接続する役割を果たしている。カバー板１４によって覆い隠された領域における金属層は、支持板１１上に成膜された有機発光ダイオード（ＯＬＥＤ）に電気を供給するための導体路を構成している。このカバー板１４は、支持板１１の層平面と逆側に配置されており、そのため、特に、ＯＬＥＤは、支持板１１とカバー板１４の間に配置されている。
【００２２】
図１では、カバー板１４の下に、大きさがほぼカバー板１４と等しく、照明手段１０を組み立てた状態において、カバー板１４に直に設置される冷却部材１５が図示されている。この冷却部材１５は、ＯＬＥＤの動作時に発生する熱を排出する役割を果たす。
【００２３】
更に、電気接続端子１６が図示されている。これらは、支持板１１の方を向いた接触面１７を有し、その接触面を用いて、接続端子が支持板１１の周縁領域におけるアクセス可能な金属層に配置されている。この接触面１７は、接続端子１６の第一の接点折曲部１８によって構成される。図１では、接続端子１６の第二の接点折曲部１９は、第一の接点折曲部１８に対して直角に配置されており、保持開口部２０を備えている。最後に、図１には、前述した構成部品を収容するフレーム形状の絶縁材製筐体２１が図示されている。
【００２４】
図２には、図１の照明手段１０の垂直断面が図示されている。図２では、照明手段１０は組み立てられた状態に有る。図２から分かる通り、絶縁材製筐体２１は、層平面１２の面で終止している。絶縁材製筐体２１の如何なる部分も層平面１２を覆い隠さない。
【００２５】
接続端子１６は、第一の接点折曲部１８の接触面１７を介して、支持板１１の下側に蒸着された金属層と材料結合形態で接続されている。第二の接点折曲部１９の保持開口部２０には、絶縁材製筐体２１により構成される保持ピン２２が差し込まれる。冷却部材１５は、カバー板１４に配置されている。カバー板１４から冷却部材１５への熱伝導を最適化するために、互いに接する表面の領域には、熱伝導性のペースト又はフォイルを配備することができる。冷却部材１５と近接する絶縁材製筐体２１の底部領域には、窪み２３が設けられている。その窪みによって、熱の排出を一層改善するために、照明手段１０の冷却部材１５に照明器側の別の冷却部材を接触させることが可能である。
【００２６】
図３は、照明手段１０の図２における左側の部分断面を図示している。この図面では、絶縁材製筐体２１への接続端子１６の係止形態を再度特に良好に読み取れる。第二の接点折曲部１９の保持開口部２０に保持ピン２２を差し込むと、絶縁材製筐体２１と接続端子１６の間を形状結合することとなる。第一の接点折曲部１８と支持板１１の金属層の間には、材料結合形態が実現されている。それは、有利には、超音波鑞付け手法を用いて行われる。しかし、溶接又は接着などのそれ以外の材料結合による接続形態も考えられる。
【００２７】
支持板１１、カバー板１４及びそれらの間に収容されたＯＬＥＤから構成される、必要に応じて冷却部材１５により補完される発光部材を絶縁材製筐体２１内に保持して、本発明による照明手段１０を構成するために、第二の接点折曲部１９の側の形状結合と連携した第一の接点折曲部１８の側の材料結合は全く十分に作用する。その限りにおいて、接続端子１６は、電気接点の役割の外に、機械的な保持の役割も果たす。それは、本発明による照明手段の主要な利点の一つである。
【００２８】
一般的に、冒頭に述べるとともに、ここでも図示した通り、ＯＬＥＤを配備された支持板１１の表面に渡って電圧及び電流の強度分布を均一に保持するために、複数の接点が金属層と電気的に接続される。従来技術では、その結果、同じ極性の接続端子にそれぞれ個別に外部接続配線を配備しなければならなかった。それに対して、本発明では、絶縁材製筐体２１内で同種の極性を互いに接続することが可能であり、そのため、二つの端子だけを介して外部との配線を行うだけで良い。そのために、端子１６に好適な接続部材を配備することができる。この場合、圧接端子又は圧着端子、或いは捻子止め不要なケーブル固定器具としての端子構成が考えられる。
【００２９】
更に、接続端子１６から電気を分岐して、ループスルー形態に基づき別の照明手段に電気を供給するために使用することも可能である。それは、絶縁材製筐体内で行われる個々の接続部材を介した電気接続と連携すると、電気供給が金属層を介して行う必要がなくなるので、特に有利である。
【００３０】
図面に図示した構成では、発光部材には、絶縁材製筐体２１によるソケットが配備されており、そのソケットによって、ＯＬＥＤを備えた照明手段１０の取扱及び組立が著しく簡単になるとともに、高性能なソケット取付機構を実現する手法が可能である。
【００３１】
しかし、単一の端子の領域にのみ、個別の絶縁材製筐体を配備することも十分考えられる。同様に、発光部材には、確かに接続端子を配備するが、直に付属する部品としての絶縁材製筐体を配備しないことも可能である。そして、例えば、接続端子１６を差し込むことが可能な照明部分として、一つ又は複数の絶縁材製筐体を配備できる。その場合、端子と絶縁材製筐体の間の接続は、例えば、摩擦結合によって行うこともでき、圧接端子手法を用いて、端子を絶縁材製筐体に差し込むと同時に、接続配線との電気接続を行うことができる。それ以外の照明手段１０を保持するとともに、接続端子１６を絶縁材製筐体と固定する構成も考えられる。
【符号の説明】
【００３２】
１０    照明手段
１１    支持板
１２    層平面
１３    光を放出する面
１４    カバー板
１５    冷却部材
１６    電気接続端子
１７    接触面
１８    第一の接点折曲部
１９    第二の接点折曲部
２０    保持開口部
２１    絶縁材製筐体
２２    保持ピン
２３    窪み
【図１】
0005759070.tif 000002
【図２】
0005759070.tif 000003
【図３】
0005759070.tif 000004